(57)【要約】【課題】着座状態で用足しする時、ずり下げたズボンやスカート等の着衣等の汚れ防止が図られる大便器を提供する。【解決手段】便器本体１０１における便鉢部１０３の上部の上面１０５に、便座１２０を下して座り用足し状態にした際に、便鉢部１０３の外周面１０７の上面１０５寄り部位が覆われるように、便座１２０の外周縁１２９に、垂下状をなす側壁１３０を設けた。便鉢部１０３の外周面１０７の上面１０５寄り部位に尿等の汚れＹＧがあっても、座って用足しする時には、その付着等のある便鉢部１０３の外周面１０７の上面１０５寄り部位が、便座１２０に設けられた側壁１３０にてガードされているから、着衣等が汚れるのを防止する。【選択図】図１
2018187105.tif 000002
【特許請求の範囲】
【請求項１】
便器本体と、該便器本体をなす便鉢部の上部の上面に下される便座とを含んでなる大便器において、
該便座の外周縁には、該便座を該便鉢部の上部の上面に下して座り用足し状態にした際に、該便鉢部の外周面の前記上面寄り部位における周方向の所定範囲を覆い得る側壁が設けられていることを特徴とする大便器。
【請求項２】
前記便座はＯ型便座であり、前記側壁は、該便座の前端から左右においてそれぞれ該外周縁に沿って後方に向かって延びる形で設けられていることを特徴とする請求項１に記載の大便器。
【請求項３】
前記便座はＵ型便座であり、前記側壁は、該便座の左右２つの前端からそれぞれ該外周縁に沿って後方に向かって延びる形で設けられていることを特徴とする請求項１に記載の大便器。
【請求項４】
前記側壁の後端が、該便鉢部の上部の内側における前後の中央で、平面視、該便鉢部を前後に仕切るように引いた仮想直線よりも後方に位置していることを特徴とする請求項１〜３のいずれか１項に記載の大便器。
【請求項５】
前記側壁は、前記便座と一体で形成されていることを特徴とする請求項１〜４のいずれか１項に記載の大便器。
【請求項６】
前記側壁は、前記便座とは別部品として形成されて該便座に取付けられていることを特徴とする請求項１〜４のいずれか１項に記載の大便器。
【請求項７】
前記側壁は、前記便座に着脱自在に取り付けられていることを特徴とする請求項６に記載の大便器。
【発明の詳細な説明】
【技術分野】
【０００１】
本発明は、大便器に関し、詳しくは、便鉢部の上部の上面に便座をおろし、その便座に座って（腰をおろして）用足し（用便）をする洋式の大便器（洋風大便器）に関する。
【背景技術】
【０００２】
このような大便器（以下、単に便器ともいう）での男性による小便時（立小便）においては、便座を上げて、便器本体をなす便鉢部内の封水部分（トラップ内の水たまり）に向け、或いは便鉢部（ボウル）の内面に向けて放尿（排尿）をするというのが普通である。しかし、このような立小便時においては、その用足しする者（用足し者）の体勢等に起因して、便鉢部内に正しく排尿されても不可避的にその尿の一部（飛沫）の飛散を生じる。
【０００３】
立小便においては、このような飛散のみならず、的外れ的な誤放尿により、周囲の床も含め、便器本体における便鉢部の上部である環状の上面（便鉢部の上面）の左右、或いは前後の部位に尿が付着し、汚されがちとなる。また、立小便においては、排尿の終盤における尿の滴下によっても、便鉢部のうち、用足し者（立小便者）に近い側の縁の上面部分、すなわち、便座に座って（腰掛けて）用足しする場合、その用足し者の前方（前面側）に位置する便鉢部の端（前端）の上面部分（以下、便鉢部の前方の上面部分）には尿が付着し易く、汚されがちとなる。なお、本願において、便鉢部（及び下された便座）について「前方」とは、立小便時においてその者に近い側に位置するその端のある方、すなわち、座って用足しする場合のその用足し者の前方（前面側）に位置する便鉢部や便座の端のある方をいい、「後方」とは、それと逆の方を意味するものとする。そして、このような汚されは、便鉢部の上部の外周面（便鉢部の上部の外側面）にも、的外れ的な誤放尿や、その上面に付着した尿が濡れ広がることによっても生じる。このように、大便器は、主として立小便に起因して、便鉢部の上部の上面やその外周面部分が汚れがちとなる。
【０００４】
一方、洋式大便器において便座を下し、その便座に座って（着座して）用便する時には、男女の別に限らず、ズボン等の着衣をずり下げ、或いは、スカート着用者においては、例えば、下着等をずり下げると共にスカート等を捲り上げての用足し（用便）となる。このため、便座に座って用足しする時には、着衣等が、便鉢部の上部の上面やその上面寄りの外周面に接触したり、着衣の端等が、便鉢部の上面と便座との間に入り込んだり、挟まったりすることがある。
【０００５】
他方、立小便される大便器では、上記したような汚れがある場合が多いため、便座に座って用足しする時（以下、「座って用足しする時」ともいう）においては着衣等が汚れてしまうことがある。このため、座って用足しする時には、そうした着衣のよごれを招かないように、使用者（座って用足しする者。以下、「座り用足し者」ともいう）においては、便座を下す前に、或いは便座を上げて、便鉢部の上面等に付着している尿の汚れを、用足し前にふき取る等して除去するか、その着衣のずり下げ状態等に、注意を払うなど神経を使いながらの使用を余儀なくされている。このように、大便器は、女性専用のトイレを除き、汚れが発生しやすく、その座り用足し（座り用便）時における使用に衛生上の難点があった。なお、便座は、平面視、無端の環状をなすもの（Ｏ型便座）が一般的であるが、公共施設等のトイレでは、前方が切り欠かれたＵ型（有端の環状（Ｕ型便座））も使用されており、このようなＵ型便座では、便座を下しても、その切欠きに対応する便鉢部の前方の上面は露出しているため、その汚れによる問題が大きい。
【０００６】
こうした中、立小便に起因する大便器における上記の汚れから着衣の汚れを防止（尿飛散防止）することを目的とする発明は、各種提案されている（例えば特許文献１）。特許文献１では、立小便による尿飛散防止策として、便座を上げた状態において、便器（便鉢部）と便座の間に、便器上面の左右に一対の遮蔽膜が設置されるようにしておくことで、立小便時の尿飛沫をその遮蔽膜で遮蔽するとされている。そして、この発明では、便座を下したときに、飛沫を受けた遮蔽膜面は内側に折り畳まれ、便器の外側面に２つ折りにされた状態で折り畳まれた外側を垂れ下げるようにしたため、座って用足しする時において、この畳まれた遮蔽膜が存することから、これに着衣（衣服）が触れるとしても、その汚されがないとされている。
【先行技術文献】
【特許文献】
【０００７】
【特許文献１】実用新案登録第３１１７６１７号公報
【発明の概要】
【発明が解決しようとする課題】
【０００８】
ところが、特許文献１の技術では、便器（便鉢部）のうち、用足し者（立小便者）に近い側の上面部分、すなわち、便座に腰を下し、座って用足しする場合、その用足し者の前方（前面側）に位置する便鉢部の端（前端）の上面部分（以下、便鉢部の前端の上面部分、又は便鉢部の前方の上面部分）には、遮蔽膜が存しないため、該部分やその外周面部分の汚れの防止はできない。このため、座り用足し者の便器使用において、その着衣等が、該部分やその外周面部分へ接触するときには、その接触に起因する着衣等の汚れの防止はできない。しかも、便鉢部の前方の上面部分やその外周面部分は、上述したように、立小便による汚れが発生しやすいところでもある。そして、この便鉢部の前方の上面部分やその外周面部分は、ずり下げたパンツやズボンが一番接触しやすい部位でもあるため、衛生上の問題も大きい部分といえる。
【０００９】
さらに、特許文献１の技術では、便器（便鉢部）の上部の上面の左右に一対の遮蔽膜を設置するという格別の手段、装置を講じる必要がある。そして、遮蔽膜面は、用足しごとに２つ折りに折り畳まれることから、その設置や維持、管理に難がある。また、使い捨てにするとしても、その設置等そのこと自体が面倒であり、したがって、使い勝手も悪いといえる。
【００１０】
本願発明は、立小便使用等に起因する大便器の汚れが、座り用足し者に及ぼす如上の課題に鑑みてなされたもので、便器本体の便鉢部の上面ないしその外周面に尿付着による汚れがある場合において座り用足しする時でも、格別の手段、装置を要することもなく、しかも、座り用足し者において事前にその汚れを除去する必要もなく、着衣等の汚れを招かないで用足しができるようにした大便器を提供することをその目的とする。
【課題を解決するための手段】
【００１１】
上記課題を解決するための請求項１にかかる発明は、便器本体と、該便器本体をなす便鉢部の上部の上面に下される便座とを含んでなる大便器において、
該便座の外周縁には、該便座を該便鉢部の上部の上面に下して座り用足し状態にした際に、該便鉢部の外周面の前記上面寄り部位における周方向の所定範囲を覆い得る側壁が設けられていることを特徴とする。
【００１２】
請求項２にかかる発明は、前記便座はＯ型便座であり、前記側壁は、該便座の前端から左右においてそれぞれ該外周縁に沿って後方に向かって延びる形で設けられていることを特徴とする請求項１に記載の大便器である。
請求項３にかかる発明は、前記便座はＵ型便座であり、前記側壁は、該便座の左右２つの前端からそれぞれ該外周縁に沿って後方に向かって延びる形で設けられていることを特徴とする請求項１に記載の大便器である。
請求項４にかかる発明は、前記側壁の後端が、該便鉢部の上部の内側における前後の中央で、平面視、該便鉢部を前後に仕切るように引いた仮想直線よりも後方に位置していることを特徴とする請求項１〜３のいずれか１項に記載の大便器である。
【００１３】
請求項５にかかる発明は、前記側壁は、前記便座と一体で形成されていることを特徴とする請求項１〜４のいずれか１項に記載の大便器である。
請求項６にかかる発明は、前記側壁は、前記便座とは別部品として形成されて該便座に取付けられていることを特徴とする請求項１〜４のいずれか１項に記載の大便器である。
請求項７にかかる発明は、前記側壁は、前記便座に着脱自在に取り付けられていることを特徴とする請求項６に記載の大便器である。
【発明の効果】
【００１４】
本発明の大便器によれば、便鉢部における外周面（外側面）の上面寄り部位に尿の付着による汚れがあるとしても、便座に上記した側壁が設けられているため、座り用足し者の着衣等の汚れもなく、その用足しができる。すなわち、本発明の大便器によれば、便座を便鉢部の上面へ下して座り用足し状態（座って用足しできる状態）とすることで、その外周面（外側面）の上面寄り部位の汚れが該側壁でカバーされる。このため、ズボン等の着衣をずり下げた状態で、便座に腰をおろし、座って用足しする場合においても、該側壁がある分、該側壁が無い場合に比べ、その着衣等が便鉢部の外周面に付着している汚れに接触する危険性を低減でき、或いはその接触を防止できる。このように本発明の大便器によれば、座って用足しする時において着衣等の汚れを招くことなく、用足しができる。そして、本発明では、便座に前記側壁を設けておくだけでよく、座り用足し者において、用足し前にその汚れを除去する必要もなく、従来の通りの便器の使用で、着衣等の汚れを招かないようにできるので、使い勝手もよく、衛生上の問題を解決できる。
【００１５】
前記側壁は、便鉢部の上部の外周面の上面寄り部位（便鉢部の周囲）に沿い、できるだけ広い範囲を包囲するように設けるのが、着衣等の汚れ防止のためには好ましい。一方、便座は、便鉢部をなす便器本体の上面の後方においてヒンジを介して搖動（例えば、９０〜１００度程度の回動）で上げ下げする構成のものが普通である。また、座って用足しする時における用足し者は、便鉢部の前方を向いて腰を下ろす座り姿勢となり、その者がずり下げる等するズボン等の着衣は、腰と同位置かそれより前の便鉢部の前方に向けて存するのが普通である。したがって、着衣の汚れが主として問題となるは、便鉢部の後端寄り部位ではなく、後端寄り部位よりも前方に位置するところの前記上面寄り部位といえる。したがって、前記側壁は、これらを考慮して設定される所定範囲を覆い得るように設ければよいが、便鉢部の前端からその後端に向かい、できるだけ後端に近いところまで覆われるように設けるのがよい。
【００１６】
そして、前記側壁は、前記便座がＯ型便座である場合には、請求項２に記載のように、該便座の前端から左右においてそれぞれ該外周縁に沿って後方に向かって延びるように設けるのがよい。また、前記便座はＵ型便座である場合には、請求項３に記載のように、前記側壁は、該便座の左右２つの前端からそれぞれ該外周縁に沿って後方に向かって延びる形で設ければよい。そして、いずれにおいても、前記側壁は、請求項４に記載のように、その後端が、該便鉢部の上部の内側における前後の中央で、平面視、該便鉢部を前後に仕切る（分ける）ように仮想直線を引いたときの該仮想直線よりも後方に位置するように設けるのがよいといえるが、上記したように、できるだけ後端に近いところまで覆われるように設けるのがよい。
【００１７】
また、便座は、Ｏ型便座、Ｕ型便座とも、平面視、環状をなすプラスチック製の板からなる基板と、その裏面の適所に配置された衝撃吸収性のある緩衝部材とからなるものが基本構造とされるが、近時は、ヒータ内蔵のものなど各種のものがある。いずれの構造の便座でも、前記側壁は、請求項５に記載のように、前記便座と一体で形成されているものとするのがよい。このようにすることで、構造をシンプルにできるし、清掃も容易となるためである。ただし、便座の構造上、前記側壁を一体で形成できなければ、請求項６に記載のように、前記便座とは別部品として形成されて該便座に取付ける構成とすればよい。なお、この場合の該側壁は、前記便座に着脱自在に取り付けられるものとしてもよい。
【図面の簡単な説明】
【００１８】
【図１】本発明の大便器を具体化した実施の形態例１の側面図。
【図２】図１の大便器を上から見た図（便座（Ｏ型便座）を上げたときの平面図）。
【図３】図１の大便器を上から見た図（便座を下げたときの平面図）。
【図４】図１の大便器を前端（図１の右端）側から見た図であって、左図は便座を下したときの図、右図は便座を上げたときの図。
【図５】本発明の大便器を具体化した実施の形態例２で、便座（Ｕ型便座）を下げたときの平面図。
【図６】図５の大便器を前端側から見た図。
【発明を実施するための形態】
【００１９】
本発明に係る大便器を具体化した実施の形態例１について、図１〜図４を参照しながら説明する。ただし、本例の大便器１００は、便器本体１０１と、該便器本体１０１をなす便鉢部１０３の上部（図１における上部）の上面１０５に下される便座（本例では、Ｏ型便座。以下、便座）１２０とを含んでなるものであり、便座１２０のみが従来のものと異なるだけで、便鉢部１０３をなす便器本体１０１、便座１２０のカバー１４０等は、従来の基本構造のものと異なる点はない。このため、便座１２０を中心に説明する。本例の便器１００は、便鉢部１０３をなす便器本体１０１と、便鉢部１０３の後方（図１、図２の左方）の上部に配置された洗浄水用のタンク１１５、便座１２０、そして、カバー１４０とからなっている。そして、便器本体１０１は、便鉢部１０３における上部の上面１０５が、例えば、仮想一平面上に存するように陶器等で形成されており、便鉢部１０３の底部の後方寄り部位が封水部１０６をなしている。
【００２０】
このような本例の便器１００は、便座１２０が、便鉢部１０３における上部の上面１０５の後方において、ヒンジ１１７を介して取り付けられており、立小便時には、便鉢部１０３における上部の上面１０５に下した状態から、搖動状に例えば１００度程度の回転角度で回動して上げ、座って用足しする時には、下げられる構成とされている。なお、カバー１４０も、同軸のヒンジ１１７を介して、取り付けられており、便座１２０は、回動して上げられてタンク１１５の前面側に空隙を保持して起立状態で静止されているカバー１４０に向けて上げられ、座って用足しする時には、その状態から下げられる構成とされている。
【００２１】
このような本例の便器１００をなす便座（Ｏ型）１２０は、平面視（下して上から見たとき。図３参照）、前後にやや長い環状をなし、その内周（内周縁）１２３が、後方が大径の卵形の穴を呈するように、硬質プラスチック製の基板（薄板）からるなる基本構造のものとされている。そして、その下面（裏面）１２５のうち、左右の各側の、それぞれ前後の適所には、クッション性を有する緩衝部材１２７が取付けられており、便座１２０を便鉢部１０３の上面１０５に下したときの衝撃吸収が図られ、使用者（体重）の安定支持が図られるようになっている。なお、この便座１２０の下面１２５と、便鉢部１０３の上面１０５との間は、その緩衝部材１２７により、適度の空隙Ｋが保持される設定とされている。
【００２２】
一方、本例の便座１２０には、それを便鉢部１０３の上面１０５に下したとき、便座１２０自身の外周縁１２９に沿い、便鉢部１０３の外周面１０７の上面１０５部寄り部位とに、適度の空隙Ｋ２を保持して、垂下状にして設けられた側壁１３０を備えている。そして、この側壁１３０は、本例では、便座１２０の前方を含む所定範囲に、すなわち、便鉢部１０３の前端１０３ａから左右（図２、図３の上下）において後方（図２、図３の左方）に向かう便鉢部１０３の外周面１０７の所定範囲を覆うように、便座１２０の前端１２０ａから左右において、それぞれ便座１２０自身の外周縁１２９に沿って後方に延びるように設けられている。ただし、側壁１３０の後端１３０ｂは、着衣の汚れが防止できるようにその位置を設定すればよいが、本例では、便鉢部１０３の上部の内側における前後の中央よりも後端側に位置するように設けられている。すなわち、側壁１３０は、その後端１３０ｂが、平面視、該便鉢部１０３の上部の内側の前端１０４ａと後端１０４ｂとの間を、その前後における中央で仕切る（分ける）ように引いた仮想直線Ｌ１よりも後方（図２、図３の左方）に位置するように設けられている（図２、図３参照）。
【００２３】
しかして、側壁１３０は、便座１２０が便鉢部１０３の上面１０５に下されたとき、便鉢部１０３の外周面１０７の上面１０５寄り部位を、上面１０５から下に、例えば、４０〜１００ｍｍ程度の高さ幅で、便鉢部１０３の前端１０３ａから後方に向かう所定範囲を覆い得るよう設けられている。便鉢部１０３は、通常、その前方及び左右における外周面１０７の上面１０５寄り部位が、相対的に外に張り出しているか、便鉢部１０３自体、その外周面１０７が下方に向けてすぼまり形状を呈している。このため、着衣の接触が問題となるのも、主として、便鉢部１０３の外周面１０７の上面１０５寄り部位であるから、側壁１３０が、便鉢部１０３の外周面１０７の上面１０５寄り部位を覆うことで、着衣が便鉢部１０３の外周面１０７に接触するのを防止できる。
【００２４】
このような本例便器１００では、座り用足し者は、単に、便座１２０を下して従来通り、ズボンをずり下げる等して、その便座１２０に腰を下ろし（座り）、用足しすることで、便座１２０を上げての立小便に起因する尿飛散により、便鉢部１０３の上部の上面１０５や外周面（外側面）１０７が汚れＹＧがあるとしても、便座１２０に側壁１３０がある分、該側壁１３０が無い場合に比べると、ズボン等の着衣が、その汚れＹＧに接触する危険性を確実に低減できる。しかも、この側壁１３０により、着衣等の一部が、便鉢部１０３の上面１０５と便座１２０の下面１２５との間に入り込んだり、挟まり込んだりすることも防止できる。このため、用足し者は、何ら労せずして、便器１００の汚れＹＧに起因する着衣の汚れもなく、用足しすることができる。
【００２５】
便座１２０に設ける側壁１３０は、便鉢部１０３の上部の上面１０５や外周面（外側面）１０７の汚れＹＧに、座り用足し者のズボン等の着衣が接触するのを防止できればよい。このため、側壁１３０は、板状のものとするだけでなく、格子状やネット（網目）状のものであってもよい。そして、このような側壁１３０は便座１２０と一体のもの（一体成形したもの）とするのがよい。とくに、本例のように便座１２０が、プラスチック製の基板からなる基本構造のものでは、一体のものとすることで、その構造の単純化が図られる上、清掃等も容易となる。
【００２６】
一方、ヒータを内蔵する便座のように、側壁を一体成形することが容易でない比較的複雑構造構造の便座では、側壁を別部品として形成して、そのような便座の製造、組み立て過程で、その便座に取り付けることとしてもよい。なお、別部品として形成された側壁を、例えば既設（又は既存）の従来の便器における便座に取付けるような場合には、側壁は、その便座に着脱自在に取り付けるようにしておくとよい。着脱方式としては、その便座に部品としての側壁を、ねじ部材等による取付手段で取り付けることが例示される。
【００２７】
その他、例えば、従来の便器における便座と同形で、その便座に被せ得るよう、外周縁が該便座の外周縁より一回り大きく、例えば硬質プラスチック製のものとして形成された表層用便座本体（便座カバー）の外周縁に側壁をなす部位を設けてなる側壁付きの表層用便座を用い、これを、従来の便座の上に重ね合せるようにして取付けることが例示できる。そして、その取付における位置決め、ないし固定の手段としては、その表層用便座本体の裏面（下面）と、従来の便座の表面（上面）とを、面ファスナーや、両面接着テープで接合することが例示できる。また、表層用便座本体の周縁部分が、従来の便座の内周縁又は外周縁に、バネ性ないし弾性により、適度の締り嵌め等により嵌合する嵌合部（爪部）を、同表層用便座本体の周縁の適所に設けておき、その重ね合せ時に嵌合するようにして取付けるものとしておいてもよい。
【００２８】
また、側壁を便座（便座本体）に着脱自在とする場合には、このような側壁付きの表層用便座とする場合も含め、使い捨てにしてもよい。使い捨ては、１回又は複数回の使用後の使い捨てにすればよいが、このように使い捨てにする場合には、便座に着脱できる紙製のものとしておいてもよいし、軟質の樹脂シート（膜）で側壁を形成してもよい。すなわち、上記実施の形態例１に示した側壁１３０のように、それが便座１２０と一体で形成されている場合でなく、既設の便座とは別部品の側壁や、側壁付きの表層用便座とするような場合には、それらを紙製や軟質の樹脂シート製としてもよい。
【００２９】
さて次に、本発明の便器を具体化した別例（実施の形態例２）について、図５−図６に基づいて説明する。ただし、この別例の便器２００は、前記例（図１−図４に示した形態例１）におけるものが便座１２０がＯ型であったのに対し、便座１２０がＵ型（Ｕ型便座）であり、その前端１２０ａが切れている有端環状のものであることに起因する側壁１３０の設置範囲のみが相違するだけである。このため、前記例と同一又は共通（対応）する部位には、同じ符号を付すに止め、その相違点のみについて説明する。すなわち、この別例の便器２００では、便座（Ｕ型便座）１２０は、前端１２０ａが切れている有端環状のものであるため、側壁１３０は、この便座１２０の左右２つの前端１２０ａからそれぞれの外周縁１２９に沿って後方に向かって延びる形で設けられている。このように本例では、Ｕ型便座構造に基づき、その前端１２０ａ相互間に部分的に側壁１３０が無い点のみが、上記例（Ｏ型便座）における側壁１３０と異なるだけであり、したがって、上記例に比べると、その前端１２０ａ相互間に側壁１３０が無い分、そこでの着衣の汚れ防止効果が低いといえるが、それでも、側壁１３０がある分、側壁が無い従来のＵ型便座を用いた大便器に比べると、それによる汚れ防止効果が得られる。
【００３０】
なお、このようなＵ型便座１２０において、前記したように側壁１３０を設ける場合には、この便座１２０の左右２つの前端１２０ａ相互間の便座１２０の切れている部分を、左右の側壁１３０の前端１３０ａにおいて接続してもよい（図６中の２点鎖線参照）。すなわち、便鉢部１０３の外周面１０７を上記した実施の形態例１と同様の範囲、覆うよう側壁１３０を設けることとしてもよい。このようにして、便鉢部１０３における前端１０３ａの外周面１０７の上面１０５寄り部位を、側壁が覆うことにすることで、その分、便鉢部１０３の上面１０５を除く、そこでの着衣の汚れ防止が図られる。なお、このようなＵ型便座１２０に側壁１３０を設ける場合にも、上記したのと同様、一体で形成する（設ける）のが好ましいが、別部品として形成してＵ型便座１２０に取付けるようにしてもよいなど、Ｏ型便座に側壁を設ける場合と同様に、便座に取付け、或いは着脱自在に取り付けるようにして具体化することができる。
【００３１】
本発明に係る大便器は、以上、詳述したものに限定されるものではなく、その要旨を逸脱しない範囲において、適宜に変更して具体化できる。そして、上述したように、本発明に係る大便器における便座に設けられる側壁は、座り用足し者において、その者の着衣が便器本体をなす便鉢部の上部の外周面に接触しないものであればよい。したがって、便鉢部や便器本体の外周面の上部を含む上面寄り部位の形状にもよるが、その外周面が、上部において大きく張り出しているすり鉢タイプの便鉢部では、側壁の垂れ下げ寸法（高さ幅寸法）は小さくてもよい。反対に、張り出しが小さいもの、すなわち、便鉢部の外周面が鉛直に近いような壁構造のものでは、なるべくく、垂れ下げ寸法を大きくするか、便鉢部の外周面の上面寄り部位との空隙を大きくとって垂れ下げ状に設けるのがよい。なお、側壁の垂れ下げは、鉛直である必要はなく、下に向かうほど、便鉢部の外周面から離れるような傾斜をつけてもよい。
【００３２】
また、側壁で覆う、便鉢部の上部の周囲の範囲は、便鉢部の上部外周面の平面形状や、その上面や外周面への汚れの発生範囲、頻度や、座り用足し者の着衣の位置の状況等に鑑みて、汚れ防止のために好ましい範囲で、適宜に設定すればよい。
【符号の説明】
【００３３】
１００、２００  大便器
１０１  便器本体
１０３  便鉢部
１０５  便鉢部の上部の上面
１０７  便鉢部の外周面
１２０  便座
１２０ａ  便座の前端
１２９  便座の外周縁
１３０  便座の側壁
１３０ｂ  側壁の後端
Ｌ１  便鉢部の上部内側の前後の中央で、平面視、便鉢部を前後に仕切るように引いた仮想直線
【図１】
2018187105.tif 000003
【図２】
2018187105.tif 000004
【図３】
2018187105.tif 000005
【図４】
2018187105.tif 000006
【図５】
2018187105.tif 000007
【図６】
2018187105.tif 000008